(57)【要約】【課題】既製のドアへ取付け可能で、地震時のドア枠の面内及び局部変形に対応して、力の弱い者でもドアを開けられるようにする。【解決手段】ドア室内面２ａ又は室外面２ｂの施錠側上角部に、横軸１０で可回転なローラ９をやや上方へ突出するように軸支したローラ付き本体部３を、ドア２を挟んだ取付け副板８との間で取付けボルト１１で連結して固定可能とし、ドア枠１の上杆部１ａに、下面がローラ受面１２のローラ受板４を通常時はローラと接触せぬように取付け可能とし、他方、摩擦係数が小さい薄板状の潤滑材料片の低摩擦プレート５，６を、対・面内変形用として、上記ローラ付き本体部を取付けた位置近傍のドア側端面１４とそれに対面するドア枠とに、かつ対・局部変形用として、ドア枠の縦杆部１ｂの側端面１３の中間高さ位置近傍とそれに対面するドア側端面とに、各装着可能としたもの。【選択図】　　　　図１
2004116114.tif 000002
【特許請求の範囲】
【請求項１】
ローラ付き本体部３と、ローラ受板４と、対・面内変形用と対・局部変形用の各低摩擦プレート５，６とで構成し、
ローラ付き本体部３は、ドア室内面２ａまたは室外面２ｂの施錠側上角部へ取付け可能な取付け主板７に、横軸１０で可回転なローラ９をやや上方へ突出するように軸支し、ドア室外面２ｂまたは室内面２ａの施錠側上角部へ取付け可能な取付け副板８と上記取付け主板７とを、ドア２を挟んで取付けボルト１１で連結して固定可能とし、
ローラ受板４は下面をローラ受面１２として、ドア枠１の縦杆部１ｂに、前記ローラ付き本体部３のローラ９に対応しかつ通常時はローラ９と接触せぬように取付け可能とし、
他方、低摩擦プレート５，６は、摩擦係数が小さく薄板状の潤滑材料片で、対・面内変形用として、上記ローラ付き本体部３を取付けた位置近傍のドア２の側端面１４とそれに対向するドア枠１の縦杆部１ｂの側端面１３とに、また対・局部変形用として、ドア枠１の縦杆部１ｂの側端面１３の中間高さ位置近傍とそれに対向するドア２の側端面１４とに、各々対面状に装着可能としてなる、ローラと低摩擦プレートとによる地震用ドア開放装置。
【請求項２】
ローラ受板４のローラ受面１２に、地震後もローラ９とローラ受面１２との接触が線接触になるように、予めローラ受面１２に変形時に対応して傾斜面に形成した、請求項１に記載のローラと低摩擦プレートとによる地震用ドア開放装置。
【発明の詳細な説明】
【０００１】
【発明の属する技術分野】
本発明は、例えば集合住宅、ホテル、その他のビルの各部屋の出入口や非常口（以下集合住宅等のドアという）に、後付けすることにより、大きな地震が有った際にもドアの開閉が可能となる、ドア用耐震装置の改良に係るものである。
【０００２】
【従来の技術】
近時、宮城沖地震、東海地震、東南海地震、南海地震などの巨大地震が、かなり高い確率で起きるものとして、国、自治体や個人による対策の必要性が叫ばれている。大きな地震例えば震度５以上の地震が発生すると、たとえ建物自体が崩壊を免れたとしても、その振動や衝撃等によって建物が変形し、ドアが開かなくなる。そのため、特に高層のビル等では唯一とも言える出入口のドアが開けられなくなり、室内から避難できなくなったり、また救出もできなくなって、被害を大きくすることが予想される。
【０００３】
本発明者は先に、縦や横の２本のローラをもつドアの耐震装置を考案し、商品化を図った。これは、実公昭６１−３２０７２号公報に記載のもので、「ローラ付き本体部とローラ受板とからなり、ローラ付き本体部は、ドアの反開き方向で施錠側の上角部に取付可能な主板に、縦方向に可回転な縦ローラをやや上方へ突出する如く設けるとともに、横方向に可回転な横ローラをやや側方に突出する如く設け、他方ローラ受板は、前記ローラ付き本体部に対応するドア枠の上角部に取付可能で、各ローラの受面を有し、この両者を通常時にはローラと受面とが接触せぬように取付けてなるドア用耐震装置」である。
【０００４】
上記ドア用耐震装置を取付けることにより、ドア枠に約２０ｍｍの変位が生じた場合でも、３５Ｋｇの力でドアを開けることが可能となり、力の弱い女性や老人や子供によってもドアを開けて避難することが可能となった。
【０００５】
また同発明者は後に、それを改良したものとして、実用新案登録第３０４０４９７号公報に記載のドア用耐震装置を考案し、商品化している。これを上記のものと比較すると、縦ローラと横ローラを用いる点では共通するが、ドアの裏側面に取付ける本体の主板に、下側と反施錠側に拡張した補助板部を形成し、表側に取付ける取付副板をそれに対応する大きさとし、ドアの厚みに対応可能に調節ナット付きのネジ筒をドアの表と裏の鋼板間に挿入し、かつ上記副板の拡張した部分にも取付けネジを螺装したものである。
【０００６】
これは、近時の新設の集合住宅等のドアが、軽量化のために表と裏の各鋼板自体の厚みが従来の二分の１以下の薄いものを使用するようになり、このドア用耐震装置を十分な強度で取付けられ無くなってしまったからである。この改良型により、ドアの表と裏の鋼板が薄くなっても、ドア厚に差があっても、このドア用耐震装置を強固に取付け可能となり、かつ耐震機能も強化することになった。
【０００７】
さらに本発明者は、反開き方向で施錠側の上角部の上端面とそれに対応するドア枠の上部内面、および同じ上角部の側端面とそれに対向するドア枠の縦杆部の側端面に各々各々対面状に装着しておくものも創作した。これは、ローラを全く用いないし、ドアやドア枠への取付けも容易であるし、また地震の発生後にドアを開ける際、当接し合っているドアとドア枠とは低摩擦係数の板材片によって互いに滑るから、ドアを容易に開けられる。
【０００８】
【発明が解決しようとする課題】
ところが、先の宮城沖地震（震度５、マグニチュード７．５）や平成７年の阪神大震災（震度６、マグニチュード７．２）の後の検証で、一層明確になったのであるが、建物自体が崩壊しなくても地震で壁に横方向への力が加わった場合、ドア枠が全体的に左または右方向へ変形する面内変形（例えば図６や図７参照）と、ドア縦枠の中間位置近傍が局部的に変形する局部変形（図８参照）とが生じる。
【０００９】
即ち、地震によりドア枠に力が加わった場合を、まず本願発明の実施例を示す図６によって説明すると、ドア枠１に左から右方向へ力が加わった際は、該ドア枠１の縦杆部１ｂは、２点鎖線にて描いた状態から実線で描いた状態へ変形し、ドア枠１の上杆部１ａがドア２の施錠側の上角部（図で左上角部）近傍を強い力で押下げ、ドア２を開けられなくする。
【００１０】
次に、本願発明の実施例を示す図７によって説明すると、ドア枠１に右から左方向へ力が加わった際は、ドア枠１の縦杆部１ｂは、２点鎖線で描いた状態から実線で描いた状態へ変形し、ドア２の側端面１４の上端寄りがドア枠１の縦杆部１ｂの側端面１３の上部寄に強く当たり、やはりドアを開けられなくする。
【００１１】
さらに、本願発明の実施例を示す図８によって説明すると、ドア枠１の縦杆部１ｂに局部的に側方からの力が加わった際は、ドア枠１の縦杆部１ｂは、２点鎖線で描いた状態から実線で描いたように局部的に変形して、ドア枠１の縦杆部１ｂの側端面１３の中間位置近傍がドア２の側端面１４の中間位置近傍に強く当たり、やはりドア２を開けられなくする。
【００１２】
そこで、平成８年３月以後のドアについては、開放力が面内変形で１／１２０以内、局部変形で縦枠８ｍｍ、上枠４ｍｍで５００Ｎ（約５０Ｋｇ）以内になるように定められている（現経産省工業技術院）。しかし、このドア枠１の縦杆部が局部変形した場合の対策については、上記ドア用耐震装置をドアとドア枠の上角部に取り付けるだけでは、十分に対応することができないと言える。
【００１３】
そのため、既製のドア特に高層の集合住宅等のドアに、後付けが可能であり、しかも地震発生時にドア枠が面内変形だけでなく局部変形した場合にも、老人、女性、子供のように比較的力の弱いものでもドアを開けられるようにするドア用耐震装置の出現が望まれている。
【００１４】
また、上記のドアの上角部の上端面にホコリが溜まりやすいことから明らかな如く、ドアの上角部の上端面に装着した低摩擦係数の材料の表面にもホコリが付着し易い。そのため、地震発生後にいざドアを開けようとした際に、摩擦が大きくなっており、容易にドアが開けられなくなっていることも予想される。
【００１５】
本発明は上記要望に応えるべく、種々検討の結果開発したものであって、本発明の目的は、既製のドアとドア枠に容易に取付け可能で、取付けておけば地震によるドアとドア枠の面内変形だけでなく、局部変形にも対応して、比較的力の弱いものでもドアを開けられる装置を提供することにある。
【００１６】
【課題を解決するための手段】
本発明に係るローラと低摩擦プレートとによる地震用ドア開放装置は、
ローラ付き本体部３と、ローラ受板４と、対・面内変形用と対・局部変形用の各低摩擦プレート５，６とで構成し、
ローラ付き本体部３は、ドア室内面２ａまたは室外面２ｂの施錠側上角部へ取付け可能な取付け主板７に、横軸１０で可回転なローラ９をやや上方へ突出するように軸支し、ドア室外面２ｂまたは室内面２ａの施錠側上角部へ取付け可能な取付け副板８と上記取付け主板７とを、ドア２を挟んで取付けボルト１１で連結して固定可能とし、
ローラ受板４は下面をローラ受面１２として、ドア枠１の縦杆部１ｂに、前記ローラ付き本体部３のローラ９に対応しかつ通常時はローラ９と接触せぬように取付け可能とし、
他方、低摩擦プレート５，６は、摩擦係数が小さく薄板状の潤滑材料片で、対・面内変形用として、上記ローラ付き本体部３を取付けた位置近傍のドア２の側端面１４とそれに対向するドア枠１の縦杆部１ｂの側端面１３とに、また対・局部変形用として、ドア枠１の縦杆部１ｂの側端面１３の中間高さ位置近傍とそれに対向するドア２の側端面１４とに各々対面状に装着可能として備えたものである。
【００１７】
【発明の実施の形態】
上記構成において、ローラ付き本体部３、ローラ受板４等は、地震による衝撃や振動による荷重を受けても変形や損傷をしない強度を有する必要がある。材質は金属製で、例えば取付け主板７や軸支用部１５は亜鉛ダイカスト製、ローラ９とその横軸１０はステンレス製、取付け副板８は鉄製、ローラ受板４は亜鉛ダイカスト製とすることが望ましいが、これに限るものではない。
【００１８】
この地震用ドア開放装置を取付けるドア２は、鋼板（スチール板）製で、ドアの全体または少なくとも周辺より部分が、表裏二重の鋼板で形成されたものである。ドア枠１も鋼板である。
【００１９】
この地震用ドア開放装置の取付け位置は、ドア２が外開き式なら、ドア室内面２ａの施錠側上角部にローラ付き本体部３を備えた取付け主板７を、ドア２を挟んでドア室外面２ｂに取付け副板８を、複数本の取付けボルト１１で連結して取付ければよい。またドア２が内開き式なら、ドア室外面２ｂの施錠側上角部にローラ付き本体部３を備えた取付け主板７を、ドア２を挟んでドア室内面２ａに取付け副板８を、複数本の取付けボルト１１で連結して取付ければよい。
【００２０】
ローラ付き本体部３のローラ９は、取付け主板７から後方へ突設した軸支用部１５に横軸１０により可回転に軸支してあるが、取付け主板７の上縁より少し上方へ突出させてある。また取付け主板７には、両側部寄りと下部寄りに、取付けボルト通挿用の丸孔１６を形成してある。
【００２１】
取付け副板８には、後面の両側寄りと下部寄りに、取付け主板７からの各取付けボルト１１を各々螺合可能なネジ筒１７を突設してあるのがよい。各ネジ筒１７は、取付け時にドア２の表と裏の鋼板間に挿入されるもので、既製のドアで表と裏の各鋼板間の間隔が最も狭いものより、やや短めに形成しておけばよい。また該取付け副板８には、周辺部寄りに複数個の取付けネジ用孔１８を形成してあることが望ましい。
【００２２】
ローラ受板４は、地震が発生でドア枠１が変形した際に、上記ローラ９の上端に当接して受けるが、ローラ９の外周面が点接触ではなく面接触するように、そのローラ受面１２に予め傾斜面に形成しておくことが望ましい。
【００２３】
ローラ受面１２の傾斜面は、該ローラ受板４をドア２の左右の開きの違いに対応して取付け可能に、中央部から両側に向けて形成しておくことが望ましい（例えば図４，図５参照）。その傾斜角は、本発明の装置をドア２とドア枠１へ取り付けた場合のローラ９とローラ受板４との間隙ｓや、ローラ９の横幅等によっても異なるが、１／１００ないし３／１００程度の範囲としておくのがよい。
【００２４】
低摩擦プレート５，６は、摩擦係数の小さい潤滑材料片で薄い板状としたものであるが、地震発生時のドア２やドア枠１からの変形押圧力に耐え得る強度を有する必要がある。その材質は、例えばセラミックスやエンジニアプラスチック、特にジルコニア系セラミックスやテフロン（登録商標）等の樹脂が、低摩擦係数であると共に強度が高く、特にじん性も高いので地震時の偏荷重によっても割れの生じ難いものがよい。しかし上記のものに限らず、低摩擦係数で強度を有するものであれば、他のセラミックスやプラスチック、あるいは容射形成材料でその中に潤滑材をしみ込ませたものでもよい。
【００２５】
また該低摩擦プレート５，６の大きさは、ドア２やドア枠１の大きさ、厚さ等によっても異なるが、通常は長さ約３５〜４０ｍｍ、幅約２５〜３０ｍｍ、厚さ０．５〜０．８ｍｍ程度のものとするのがよい。これをドア２とドア枠１に対面状に装着しておく。装着手段は、例えば接着剤や粘着剤等によりしっかり固定しておくようにする。
【００２６】
該低摩擦プレート５，６を装着する位置は、対・面内変形用としては、ドア２にローラ付き本体部３を取付けた位置近傍の側端面１４とそれに対向するドア枠１の縦杆部１ｂの側端面１３とし、対・局部変形用としては、同ドア枠１の縦杆部１ｂの中間位置近傍の側端面１３とそれに対向するドア２の側端面１４とにすることが望ましい。
【００２７】
次に、本発明に係る地震用ドア開放装置の取付け方は、まずローラ受板４をドア２の施錠側の上角部に対応するドア枠１の上杆部１ａの角部内側に、取付けボルト１１にて取付けておく。
【００２８】
ローラ付き本体部３は、ドア室内面２ａの施錠側の上角部寄り位置に取り付けるが（例えば図２，図３参照）、それには予め、ローラ９が上記ローラ受面１２との間で一定の間隙ｓ、例えば約１．０ないし２．０ｍｍ程度の隙間を有して接触しない状態になるように位置決めし、取付け主板７に形成してあるボルト通挿用の丸孔１６に対応して、ドア室内面２ａの鋼板を穿孔しておく。
【００２９】
取付け副板８は、ドア室外面２ｂで、施錠側の上角部寄り位置に取り付けるが（例えば図１，図３参照）、該室外面２ｂの鋼板にも上記ドア室内面２ａの鋼板に形成した丸孔１７の位置に対応して通孔を形成しておく。
【００３０】
そして該取付け副板８を、ドア室外面２ｂの各通孔から各ネジ筒１７を挿入させて当てがっておき、ドア２を挟むようにして、取付け主板７を室内面２ａに当てがい、各取付けボルト１１を取付け主板７の各ボルト通挿用の丸孔１６から鋼板に形成した丸孔を経て、上記ネジ筒１７へ螺合させて締付け、ローラ付き主板部３を取付け固定する（例えば上記図３参照）。
【００３１】
さらに、取付け副板８の周辺部寄りに複数個の取付けネジ用孔１８を形成してあれば、ドア２の表と裏の鋼板内に設けてある補強板１９に、取付けネジ２０を螺装しておく。
【００３２】
他方、低摩擦プレート５，６を、対・面内変形用としては、ドア２の側端面１４で上記ローラ付き本体部３を取付けた位置近傍と、ドア枠１の縦杆部１ｂの側端面１３でそれに対向する位置とに、また対・局部変形用としては、同ドア枠１の縦杆部１ｂの側端面１３で中央位置近傍と、ドア２の側端面１４でそれに対向する位置とに対面状に、各々接着剤や粘着剤その他によりしっかり固定しておく（例えは上記図１参照）。
【００３３】
そして本発明に係るドア用耐震装置を、ドア２およびドア枠１に取り付けてある場合の作用は、次のようになる。
【００３４】
地震が発生した場合に、地震による振動や衝撃により壁に横方向への力が加わると、ドア枠１は第６図で２点鎖線にて描いた状態から実線で描いた状態へ変形し、ドア枠１の上杆部１ａがドア２の施錠側の上角部（図で左上角部）近傍を強い力で押下げ、変形しようとする。しかし本発明では、上下方向分の変形について、ドア２側のローラ付き本体部３のローラ９が、ドア枠１の上杆部１ａのローラ受板４に当接して支承しているから、ドア枠１の上下方向への変形はドア２によって抑止されている。
【００３５】
また地震によってドア枠１に左から右方向へ力が加わると、図６で示すようにドア枠１の縦杆部１ｂは、２点鎖線にて描いた状態から実線で描いた状態へ変形し、ドア枠１の上杆部１ａがドア２の施錠側の上角部（図で左上角部）近傍を強い力で押下げる。しかし本発明では、上記のように上記ドア２のローラ付き本体部３のローラ９が、ドア枠１の上杆部１ａのローラ受板４のローラ受面１２に当接しても、線接触でローラ９自体は可回転であるから、比較的近い力でドア２を押すことで、ドアを開けられる。
【００３６】
上記の場合に、ローラ受面１２に図４で示すように予め傾斜面を形成してあるものでは、地震によりドア枠１やドア２が変形した際にも、ローラ受面１２とローラ９の外周面との接触は、図５で示した如く、点接触にならず地震後の線接触に維持される。そのため、両者１２，９間に加わる荷重が一点ではなく線状に分散すると共に、ローラ９の回転もスムーズに行えるから、ドア２の開放をより一層楽に行える。
【００３７】
さらに、ドア枠１に右から左へ力が加わると、図７で示すようにドア枠１の縦杆部１ｂは、２点鎖線で描いた状態から実線で描いた状態へ変形し、ドア２の側端面１４の上端寄りがドア枠１の縦杆部１ｂの側端面１３の上部寄りに強く当たる。しかし本発明では、その部分に各々設けてある薄板状の低摩擦プレート５，５同士が当接するから、比較的小さい力で滑動可能であり、比較的近い力でドア２を押すことで、ドアを開けられる。
【００３８】
しかも、ドア枠１の縦杆部１ｂに局部的に側方からの力が加わると、図８で示すようにドア枠１の縦杆部１ｂは、２点鎖線で描いた状態から実線で描いたように局部的に変形して、ドア枠１の縦杆部１ｂの側端面１３の中間位置近傍がドア２の側端面１４の中間位置近傍に強く当たる。しかし本発明では、その部分に各々設けてある薄板状の低摩擦プレート６，６同士が当接するから、ここでも比較的小さい力で滑動可能であり、比較的近い力でドア２を押すことでドアを開けられる。
【００３９】
なお上記の場合に、ドア枠１の上杆部１ａとドア２の上角部との間では、低摩擦プレートを取付けずに、ローラ受板４とローラ付き本体部３とを取付けた構成にしてある。そのため、ドア２の上側端面の掃除をし難い部分に低摩擦プレートを用いたものと異なり、低摩擦プレート上面にホコリが溜まって低摩擦係数が維持できずに、いざという時に滑りが悪くドア２が開き難くなるという心配もなくなる。
【００４０】
このように、本発明に係る低摩擦プレートとローラによる地震用ドア開放装置では、左右いずれの方向からの力が加わっても、各々が面内変形や局部変形に対応し、相乗的に作用し合ってドアの開放が容易に行えるようになっている。
【００４１】
【実施例】
図１ないし図８は、本発明に係る低摩擦プレートとローラによる地震用ドア開放装置の実施例を示すものであり、ローラ付き本体部３と、ローラ受板４と、対・面内変形用と対・局部変形用の各低摩擦プレート５，６とを備える。
【００４２】
ローラ付き本体部３の取付け主板７は、ここではドア２が外開きであるから、ドア室内面２ａの施錠側の上角部へ取付けるものである。該取付け主板７は、ここでは亜鉛ダイキャスト製で、横約７０．０ｍｍ、縦約５６．０ｍｍ、厚さ約１０．０ｍｍの厚板状の一側面に、縦方向に並行した２本の軸支用部１５を一体成形して、そこにステンレス製で外径３２．０ｍｍ、幅約１４．０ｍｍのローラ９を、取付け主板７の上端縁から約４．０ｍｍ程度突出するように、ステンレス製で外径８ｍｍの横軸１０にて可回動に軸支してある。
【００４３】
また該取付け主板７は、ここでは下半部が円弧状をした形状をしており、その下部寄りと上部寄り両側寄りの３か所の位置に、各取付けボルト１１を通挿可能に内径約９ｍｍのボルト通挿用の丸孔１６を形成してある。
【００４４】
本体部３の取付け副板８は、ここではドア２が上記の如く外開きであるから、ドア室外面２ｂの施錠側の上角部へ取付けるものである。該取付け副板８は、ここでは鉄板製で横約９０ｍｍ、縦約８０ｍｍ、厚さ約６ｍｍの矩形状をし、その一側面で上記取付け主板７の各ボルト通挿用の丸孔１６と対応する３箇所の位置に、取付けボルト１１を螺装可能に、鉄製で谷径が約８．０ｍｍの雌ネジ孔をもつ３本のネジ筒１７を突設させ、かしめて固定してある。
【００４５】
また該ネジ筒１７の長さは、ここでは約３４．５ｍｍとしてある。また該取付け副板８の周部寄り位置には、ここでは９本の取付けネジ用孔１８を穿設させてある。
【００４６】
ローラ受板４は、下面をローラ受面１２として、ドア枠１の上角部の下側面にビス２１で取付けるものであり、ここでは亜鉛ダイキャスト製で、横約５０．０ｍｍ、縦約４５．０ｍｍ、最大厚さ約６．０ｍｍの矩形状をしている。ここでは２箇所にビス用の皿孔を形成してある。
【００４７】
また該ローラ受面１２には、地震発生時に上記ローラ９の上端部と接触した際に、点接触ではなく線接触になるように、左右方向の中央部が薄くなる傾斜面に形成してある。傾斜の程度は、ここでは左右方向の中央部が両側よりも約０．５ｍｍ薄くなる位、換言すれば約２５ｍｍで０．５ｍｍ程度薄くしてある。該ローラ受板４は、ドア２に取付けたローラ９の位置に対応して、片側の傾斜面を利用するようにドア枠１に取付ける。
【００４８】
この低摩擦プレートとローラによる地震ドア開放装置の取付けは、ここでのドア２が室外側から見てノブまたはレバーが左側に付いた左勝手で外開きのものであるから、ドア室内面２ａの鋼板で施錠側の上角部に、ローラ付き本体部３の取付け主板７を取付け、ドア室内面２ａの鋼板に取付け副板８を取付けておく。その取付けは、ドア２を挟んで取付け主板７側から３本の取付けボルト１６を、取付け副板７側の３本のネジ筒１７へ各々螺合させて締付け固定すると共に、取付け副板７側から９本の取付けネジ２０を各々螺装して固定する。
【００４９】
また上記各低摩擦プレート５，６は、上記の如くここでのドア２が左勝手であるから、対・面内変形用のプレート５は、室外側から見てドア２の左側の上角部寄りの側端面１４と、それに対応するドア枠１の縦杆部１ｂの側端面１３とに対面状に接着する。また対・局部変形用のプレート６は、ドア２の左側の側端面１４の中間位置近傍、ここでは錠前２２の上と下の位置と、それに対応するドア枠１の縦杆部１ｂの左側の側端面１３の位置とに、各々一対ずつを対面状に接着してある。
【００５０】
この地震用ドア開放装置の実施例を用いた場合の作用は、上記発明の実施の形態の項の記載から既に明白であると思われるので、ここでは重複をさけるために省略する。以下にはこれをドアに取り付けた場合のテスト結果を説明する。
【００５１】
日本工業規格に基づきこの主の性能試験を行っている財団法人ベターリビング（東京都千代田区二番長４番地５相互二番長ビルディング３階）に依頼して、本発明に係る低摩擦プレートとローラによる地震用ドア開放装置をドアに取り付けた状態で、平成１４年８月２９日に性能試験を受けた。
【００５２】
その試験方法は、本出願人の先のドア用耐震装置（実用新案登録第３０４０４９７号）の際に受けたものと同様のものであるが、片開きドアセットについて、日本工業規格に基づく局部変形をも含めた変形追随性能試験方法である。
【００５３】
その結果、ドアの開放に要する力は、規制要求値が５００ＮＴのところ、先のドア用耐震装置が４３５ＮＴであったものが、今回のものでは３４０ＮＴとなっており、必要な開放力が従来のものよりも大幅に減少できていることが明らかになった（局部変形の試験成績書第０２２４４０号、面内変形の試験成績書第０２２９５０号）。
【００５４】
【発明の効果】
以上で明らかな如く、本発明に係る低摩擦プレートとローラによる地震用ドア開放装置は、既製のドアとドア枠に容易に取付け可能で、これを取付けておけば地震によるドア枠の面内変形だけでなく、局部変形にも対応して比較的力の弱い者でもドアを開けて、脱出や救出をすることができるようになる。
【００５５】
即ち、従来のこの種の装置では、既製のドアに取付けられなかったり、地震による面内変形には対応できても局部変形には対応できなかったり、掃除し難いドア上端面へのホコリの付着で摩擦が大きくなり、所望の効果を発揮できない場合が考えられたりした。
【００５６】
これに対して、本発明の地震用ドア開放装置では、イ）ローラと低摩擦プレートの巧みな組み合わせにより、既製のドアとドア枠に容易に取付けることができると共に、これを取り付けてあれば、地震によりドア枠が全体的に左右方向へ変形する面内変形が生じた場合には、ドアおよびドア枠の上角部に取付けたローラ付き本体部と、その側端面に対面状に取付けた面内変形用の低摩擦プレートが相乗的に対応して、ドアを比較的力の弱い者でも容易に開けることができる。
【００５７】
ロ）また上記の場合に、ドアとドア枠の上角部間にはローラとローラ受板が取付けてあり、低摩擦プレートをドアの上端面に取り付けていない。そのため、掃除をし難いドアの上端部の低摩擦プレートにたまったホコリで、いざという時に滑りが悪くなっていてドアが開き難い、という心配も無くすことができる。
【００５８】
ハ）さらに、ドア枠側のローラ受板のローラ受面に、予め傾斜面を形成してあるものでは、地震によりドアやドア枠が変形した際のローラとローラ受面との接触を、点接触ではなく線接触に維持できる。そのため、両者間に加わる荷重を一点ではなく分散すると共に、ローラの回転をスムーズに行えるから、ドアの開放をより一層楽にできる。
【００５９】
ニ）それに加えて、地震によりドア枠が局部的に変形した場合、殆どの場合はドア枠の縦杆部の高さ方向の中間位置近傍の変形が大きくて、ドアが縦杆部に引っ掛かって開けられなくなるが、本発明ではドア枠の縦杆部の中間位置近傍とそれに対応するドアその側端面に、対面状に局部変形用の低摩擦プレートを取付けてある。そのため、その場合に当接状態となっている該局部変形用の低摩擦プレートによる滑りで、ドアを開放することは容易になり、比較的力の弱い者でも容易に開けて脱出や救出をすることができる。
【図面の簡単な説明】
【図１】本発明に係るローラと低摩擦プレートとによる地震用ドア開放装置の実施例を取り付けたドアを示す斜視図である。
【図２】本発明に係るローラと低摩擦プレートとによる地震用ドア開放装置の実施例の要部を示す室内側からの正面図である。
【図３】本発明に係るローラと低摩擦プレートとによる地震用ドア開放装置の実施例の要部を示す縦断側面図である。
【図４】ローラ受板の実施例を示す下方からの斜視図である。
【図５】ローラ受面とローラとの関係を示す一部縦正面図である。
【図６】ドア枠に左から右方向への力が加わり面内変形した状態を示す室外側からの正面図である。
【図７】ドア枠に右から左方向への力が加わり面内変形した状態を示す室外側からの正面図である。
【図８】ドア枠に側方からの局部的な力が加わり局部変形した状態を示す室外側からの正面図である。
【符号の説明】
１−ドア枠
１ａ−上杆部
１ｂ−縦杆部
２−ドア
２ａ−室内面
２ｂ−室外面
３−ローラ付き本体部
４−ローラ受板
５−低摩擦プレート
６−低摩擦プレート
７−取付け主板
８−取付け副板
９−ローラ
１０−横軸
１１−取付けボルト
１２−ローラ受面
１３−側端面
１４−側端面
１５−軸支用部
１６−丸孔
１７−ネジ筒
１８−ネジ用孔
１９−補強板
２０−取付けネジ
２１−取付けネジ
２２−錠前
ｓ−間隙
【図１】
2004116114.tif 000003
【図２】
2004116114.tif 000004
【図３】
2004116114.tif 000005
【図４】
2004116114.tif 000006
【図５】
2004116114.tif 000007
【図６】
2004116114.tif 000008
【図７】
2004116114.tif 000009
【図８】
2004116114.tif 000010